(57)【要約】本発明は、ドームの形状およびドームと物体との間の隙間を維持する材質および構造であり、外圧による力に耐える内部構造（１１）および外部構造への引っ張り力によって内部構造をまとめる外部構造（１２）を含み、外部構造（１２）および内部構造（１１）は互いに結合しておらずおよび少なくとも外部構造は基部据付台に取り付け可能である、屋外物を覆うための自立式全天候型ドームに関する。本発明の実施形態について、ドーム（１１〜１２）は、紫外線耐性、プラスチック布製防風材から成る外部構造（１２）の覆いを有する、形のある固い多孔性のプラスチック（１１）製の内部構造から成る。本発明はまた、そのようなドームの使用および屋外物を保護するための方法に関する。
2006522248.tif 000002
【特許請求の範囲】
【請求項１】
ドームの形状およびドームと覆われた物体との間の隙間を維持する材質および構造である屋外装置を覆うための自立式全天候型ドームであって、
前記ドームは、外圧による力に耐える内部構造（１１）および外部構造への引っ張り力によって内部構造をまとめて保持する外部構造（１２）を含み、外部構造（１２）および内部構造（１１）は互いに結合しておらず、かつ少なくとも外部構造は基部据付台（１６、７０）に取り付け可能であることを特徴とする、前記ドーム。
【請求項２】
内部構造もまた基部据付台（１６、７０）に取り付け可能であることを特徴とする、請求項１に記載のドーム。
【請求項３】
内部構造（１１）が形のある固い多孔性のプラスチックを含むことを特徴とする、請求項１または２に記載のドーム。
【請求項４】
外部構造（１２）が紫外線耐性布（１２）を含むことを特徴とする、請求項１〜３に記載のドーム。
【請求項５】
布（１２）が防風布であることを特徴とする、請求項４に記載のドーム。
【請求項６】
いくつかのストラップ（１３、１５、８５〜８８）が外部構造（１２）上に取り付けられ、そのストラップ（１３、１５、８５−８８）が基部（１）取付台（１６、７０）に取り付け可能であってドームの基部据付台（１６、７０）への固定取り付けを確実にすることを特徴とする、請求項１〜５のいずれか１つに記載のドーム。
【請求項７】
布（１２）の下部に、布（１２）に一体化されおよびドームの周囲に等しく分散したいくつかの縦方向の拡張室（１０１〜１０３）が提供され、拡張室（１０１〜１０３）が、内部構造（１１）を覆って布（１２）が固く張られることを確実にする引っ張り機能を有することを特徴とする、請求項４〜６のいずれか１つに記載のドーム。
【請求項８】
布（１２）がいくつかのファスナー（９１〜９３）を含み、各ファスナー（９１〜９３）が布（１２）の下端から伸びておよび上方向に、好ましくはドームの高さの半分まで伸びることを特徴とする、請求項４〜７のいずれか１つに記載のドーム。
【請求項９】
多孔性のプラスチックが、ドーム内部の水凝結が実質的に低減されるような厚みを有することを特徴とする、請求項３〜８のいずれか１つに記載のドーム。
【請求項１０】
周囲圧力をわずかに超えるドーム内部の圧力を維持するための手段をドームが与えられていることを特徴とする、請求項１〜９のいずれか１つに記載のドーム。
【請求項１１】
ドームが電子無線通信装置を覆うように適用され、内部および外部構造の材料が、無線波がドームを通過できるようなものであることを特徴とする、請求項１〜１０のいずれか１つに記載のドーム。
【請求項１２】
屋外装置、特に電子無線通信装置を保護するための、請求項１〜１１のいずれか１つに記載のドームの使用。
【請求項１３】
請求項１〜１１のいずれか１つに記載のドームに物体が覆われていることを特徴とする、屋外装置、特に電子無線通信装置を保護するための方法。
【請求項１４】
ドーム内部の圧力が周囲圧力よりもわずかに高い圧力に維持されていることを特徴とする、請求項１３に記載の方法。
【発明の詳細な説明】
【技術分野】
【０００１】
本発明は、ドームの形状およびドームと覆われた物体との間の隙間を維持する材質および構造である屋外物を覆うための全天候型ドームに関する。前記ドーム、外圧による力に耐える内部構造および外部構造への引っ張り力によって内部構造をまとめる外部構造を含み、外部構造および内部構造は互いに結合しておらずおよび少なくとも外部構造は基部据付台に取り付け可能であることを特徴とする。
【背景技術】
【０００２】
地上および海洋の両方の、地球上のさまざまな気象条件は、人および他の繊細な屋外物に関して何らかの耐候防護の必要性をもたらす。主にそれは強風の負荷、雨、雪、極寒、日光の強い影響、紫外線などに対する耐候防護に関する。耐候防護設備の種類はさまざまであるが、屋外物を完全に覆うためには一種のハウジングがしばしば必要である。
【０００３】
たとえば、天候、および屋外の繊細な電子無線装置へのその作用は、装置の機能性を確実にするために何らかの種類の耐候防護に高い必要性をもたらす。繊細な装置をドームで覆うことは、戸外使用のための各部品に化学表面防護層を加えることに比べて、より費用効率が高い。
【０００４】
ドーム構成の２つの主な種類があり、一方はパネルを備えた骨組みを基礎とし、他方は自立式ドームモデルをいう。一般的に、骨組みは４メートルを超える直径に通常用いられる一方、自立式構成は４メートル未満の直径をいう。
【０００５】
２つの主な構成法である、「シングルスキン」および「サンドイッチ」モデルが自立式ドームを代表する。それらは両方とも、手作業で手作りされたプラスチック製であり、そのことはそれらの生産をかなり高価にする。
【０００６】
「シングルスキン」はもっとも一般的でおよびより費用のかからない自立式ドーム構成である。それは、すべて結合された、ゲル被覆を上に有するグラスファイバーおよびポリエステル製である。「サンドイッチ」は、ハニカム（Ｈｏｎｅｙｃｏｍｂ）、ジビニセル（Ｄｉｖｉｎｙｃｅｌｌ）またはローセル（Ｒａｗｃｅｌｌ）のラミネートによって隔てられた２つの非常に薄いプラスチック構造を基礎とする。２つの薄いプラスチック構造はそのラミネートによって結合される。軍用ではローセルが、その他と比較してより低いシグナルゲイン減衰のため、非常に一般的である。しかしローセルは、ジビニセルと比較して少なくとも３倍高価な材料である。「サンドイッチ」構成は、１０ＧＨｚを超えるマイクロ波周波数帯域で動作する専門的屋外端末に関して支配的であり、必要とされる機能性および高効率に適合する。
【０００７】
「シングルスキン」および「サンドイッチ」ドームの両方は非常に重い構成であり、機械取付基礎に、そのようなドームを支えるのに十分なほど堅いよう、厳しい要求を与える。しばしば、ドームの総質量負荷はドームが防護しようとする物体の質量を上回る。そのことは、機械的可塑性を生じることなく内部の装置と共にドームを支えることができる、機械的構造強度に関して基礎取付部に非常に厳しい要求を与える。
【０００８】
形状の歪みを妨げるために、自立式プラスチックドームは、しばしばパネルと呼ばれる断片として成型される。２つの直交する特性曲線の曲率を示すパネルは最も多い既存のモデルである。
【０００９】
無線通信では、無線信号を送信および受信するために電子装置が用いられる。使用される信号周波数が高いほど、ハウジングの信号透過性への要求は高くなる。自立式ドームはシグナル周波数の送信または受信に影響することが許されず、特に信号ゲインまたは交差分極に関しては許されない。そのため、自立式プラスチックドーム材料に対する要求は、静電気、電磁気透過性、および材料厚みに関して極めて高く、一方で風の負荷、温度および紫外線によって大気汚染との組み合わせで生じる最も厳しい環境天候条件に合致する。
【００１０】
たいていは、ドームの形状は多少とも球状であり、しばしば円筒形の足部上に立つ半球状である。第一に、幾何的形状は、ドームを通した最小の無線信号反射および信号ゲイン減衰によるより高い信号ビーム透過性を得る意図によって決まる。次に、球状ドームは、風の負荷によって生じる表面圧力作用を低減する。材料構造強度およびマイクロ波周波数帯域における高い信号透過性に関する自立式ドームへの要求は、プラスチックドーム材料の選択に関して条件を与える。使用される無線信号の周波数が高いほど、より薄いプラスチックドーム材料の厚みが許容されうる。実際には、ドーム材料の厚みは、その透過性に関して、使用される電磁無線信号波長の１／４を決して超えるべきでない。たとえば１２ＧＨｚは波長２５ｍｍに相当し、これは透過性についての修正に関して、ドーム材料の厚み許容６ｍｍに相当する。
【００１１】
監視サービスを提供する海上衛星通信（ＳＡＴＣＯＭ）は今日の最も急成長する事業のひとつを代表し、およびドーム材料を横断して送信される無線マイクロ波周波数信号に影響しない信頼性のある小型自立式ドーム（直径４ｍ未満）に要求を与える。ＳＡＴＣＯＭ市場要望および交通信号周波数に従って、自立式ドーム構成はその要求に非常に良く合致する。
【００１２】
テントと同様の耐候防護の一種を提供するいくつかの他の変わった構成さえ存在する。それは典型的な骨組みを基礎とし、布に覆われている。その布は布を数箇所で支持するだけの骨組みに非常に強く張られている。しかし、この種の技術的解決は、しばしば材料の弾性限界をはるかに超える布への非常に強い衝撃を伴う強い風の負荷に対処する要求を布に与え、次いで材料へのストレスがかかり、結果として崩壊する。布材料疲労は布と骨組みとの間の摩擦によって引き起こされる持続的な材料ストレスのために非常に速やかに起こり、特に紫外線、塩および硫黄大気汚染の影響下にある海上用途では、布は破綻する。時々、布の弾性が、強い風の負荷からの衝撃下で骨組みのパーツ間の凹形の布構造を伴う形崩れを引き起こすことがあり、ドーム全体を動かしてドーム内部の機械的問題を生じ、しばしば操作上のドリフト停止を結果として生じる。
【発明の開示】
【発明が解決しようとする課題】
【００１３】
本発明は、断熱、紫外線防護、機械構造上の硬さ、剛性、材料ストレスおよび浸透性に関して、人および他の繊細な屋外装置を防護するように屋外の物体を覆うための自立式耐候性ドームに与えられるすべての言及した公知の必要性を満たす。同時に、本発明は、ドームを製造するための手作業による手作りが最小であるドームの工業的なロボット連続製造を提供し、そのことはドーム製造コストに劇的に、大きなインパクトがある。低い製造コストはいくつかの新しい別の市場および用途を開く。すべての海上用途を除き、低い製造コストは、たとえば北極探査、軍需用途においてだけでなく、救助および調査活動においても、通常の型のテントを自立式耐候ドームと取り替えるのに利用できるようにする。主として、優れた断熱、極度の軽量、ならびに現場での設置および分解の簡易さのために、強い風の負荷の衝撃下の、寒帯気候から砂漠の強い日光までどこでもよい。
【課題を解決するための手段】
【００１４】
請求項１に特定される種類のドームで達成されているこの目的は、外圧による力に耐える内部構造および外部構造への引っ張り力によって内部構造をまとめ、外部構造および内部構造は互いに結合しておらずおよび少なくとも外部構造は基部据付台に取り付け可能である、特定の性質を含む。互いに結合していない外部構造および内部構造を有するドーム構成は、自立式ドーム（全天候型ユニット）に対する、機械構造上の硬さ、剛性、材料ストレス、断熱、信号ゲイン減衰および交差分極などに関するすべての要求を満たす。内側の構造は、空気で満たされた多数の気泡から成る内側の構造材料の厚みによって生じた幾何的運動量を提供することによって、必要な機械構造上の硬さおよび剛性を提供し、良好な断熱と組み合わせた、内部構造を通じた最小の信号ゲイン減衰を伴うマイクロ波周波数帯域での必要な電磁送信への許容を与える。さらに、互いに結合していない外部構造および内部構造を有する、本発明に記載のドーム構成は、骨組みとその上に張られ摩擦および材料ストレスを生じる布との間のいくつかの点負荷によって説明されるテント型のような他の公知の構成と比較して、拡大された表面負荷を提供する点で長所を与える。本発明に関するすべての長所は、手作業による手作り労働力投資の最小限を提供する。
【００１５】
電子装置を防護する本発明の一実施形態によると、また前記の内部構造野天で特徴づけられるドームは、固定位置およびドームと覆われた装置との間の必要な隙間を与える前記基部据付台に取り付け可能である。
【００１６】
さらに、内部構造が、形のある固い多孔性（cellular）のプラスチックを含むことで特徴づけられるドームは、ドーム上の外圧による力に耐えるための必要な幾何的運動量を得るために、内側の構造材料の厚みを増すために利用可能にする。一方、形のある固い多孔性のプラスチックは、空気で満たされた多数の気泡から成り、マイクロ波信号ビーム周波数に関して最小の信号ゲイン減衰を提供する。多孔性のプラスチック材料密度のため、内部構造の総重量は極めて小さくなり、その取り扱いを容易にし、設置および分解の簡易さのために、現場でドームを設置するのに必要な時間を低減する。互いに結合していない外部構造および内部構造を有するドーム構成は、軽量、幾何的構造、機械的硬さおよび剛性と組み合わせて、結果として最小の材料ストレスを生じる。
【００１７】
さらに、内部構造を紫外線によって破壊されることから防護する紫外線耐性布を外部構造が含むことで特徴づけられるドームは、ドーム構成を改良する。特に、紫外線は赤道付近の地域だけでなく、紫外線の反射に関する水の性質のために、海洋上でも強い。外部構造は内部構造と結合していないため、そのことは何らかの理由で必要な際に、外部構造を交換することを容易にする。外部構造布はまた、予算額投資に対する個別の要求を満たすために異なる色で供給されうる。
【００１８】
さらに、布が、風の負荷、雪または雨に関わりなく材料構造形を保つことを目的とする防風布であることを特徴とするドーム。
【００１９】
さらに、いくつかのストラップが外部構造に取り付けられ、そのストラップがドームの固い取り付けを確実にするために基部据付台に取り付け可能であることで特徴づけられるドームは、海洋上での荒天条件と関連する強い風の負荷に対する能力の改善を提供する。
【００２０】
さらに、ドーム下部の布に、布と一体化しおよびドーム周囲に等しく分散したいくつかの縦方向の拡張室があり、拡張室は内部構造を覆って布が張られるのを確実にする引っ張り機能を有し、そのことが最大の適合に関しておよび拡張室周囲に乱流の風を生じ、風の負荷が生じて海洋上での荒天において布を破るのを止めることによってドーム機能性を改良することで特徴づけられるドーム。
【００２１】
さらに、布がいくつかのファスナーを含み、各ファスナーは布の下端から伸びておよび上方へ、好ましくはドームの高さの半分まで向かうことを特徴とするドームは、布を内部構造の上に設置するのを容易にし、それだけでなく開けるのを容易にし、内部構造への接近、およびハッチ入口を通じて防護された屋外装置への接近を与える。
【００２２】
さらに、多孔性のプラスチックが、ドーム内の水凝結が実質的に低減されるような厚みを有することを特徴とするドーム。その理由は多孔性のプラスチックである。それは空気で満たされた多数の気泡から成り、露点を外へ動かす優れたおよび必要な断熱を提供する。
【００２３】
さらに、ドームが、周囲圧力をわずかに上回るドーム内部の圧力を維持し、塩で飽和した風が外部および内部構造に浸透してドームに防護された屋外物に達するのを防ぐための追加の防護を提供するための手段を有することで特徴づけられるドーム。
【００２４】
さらに、ドームが電子無線通信装置を覆うように適用され、内部および外部構造の材料が、無線波が信号ゲイン減衰および交差分極に関してドームの透過性について無害にドームに浸透できるようなものであることで特徴づけられるドーム。
【００２５】
本発明は、本発明のドームの用途ならびに、物体がドームに覆われおよびドーム内部の圧力が周囲の圧力よりもわずかに高い圧力に維持されることで特徴づけられる、屋外物、特に電子無線通信装置を防護するための方法の両方に関する。
【００２６】
発明の実施形態の詳細な説明
機能成分と相互作用する本発明の下記の例は、図１の通り、形のある固い多孔性のプラスチックの内部構造１１および紫外線耐性の防風布の外部構造１２から成る部分的に球状のハウジング１１〜１２を含む。外部構造１２に付属して、多孔性のプラスチックハウジング１１〜１２を据付台に固定するために取り付けられたいくつかのストラップ１３〜１５がある。部分的に球状のプラスチックハウジング１１〜１２は、円筒状の基部輪１６の水平の機械的接合部に固定して取り付けられる。
【００２７】
同時に耐候防護ハウジングユニットに対する以前に与えられた要求を満たすドームの応用例は、好ましくは、材料浸透性に一定の影響を有する金属成分の添加剤、または難燃剤を含まない、形のある固い多孔性のプラスチック製でありうる。実際には、そのような金属成分添加剤は、マイクロ波無線通信信号周波数を伝える、アンテナの電磁軸に、いずれかのプラスチック材料の使用の低下を示している。多孔性のプラスチックは優れた材料であり、よく適合し、部分的に球状のドームによって説明される自立式ハウジング骨組みを作る。形のある固い多孔性のプラスチックは、好ましくは２つの湾曲部のより小さい断片として製造し、および一種の接合部適合によって、要求される幾何的形状に組み合わせることができる。
【００２８】
図２に示す内側の表面構造は、いくつか（１２片）の五角形の、互いに取り付けられた多孔性のプラスチックの２つの湾曲部断片から成り、図３は同一の内部構造を上から示す。
【００２９】
図４は、図２３の通りの内部構造の断片の１つを透視図で示す。
【００３０】
図５は、側面からの外部構造を示す。外部構造は、オレンジの切片のような形状のいくつか（６片）の長い条片の縦方向の断片から成る。
【００３１】
プラスチックハウジングの基部は円筒状の輪の機械的接合部から成り、および図７は２つの底部７０から上側へのスタンド７１、７２から成る円筒状の輪の機械的接合部の一部を示す。これらのスタンドの間に、プラスチックハウジング底部が接合によって固定される。
【００３２】
図８は、プラスチックハウジングの外部構造を側面から示す。外部構造は、オレンジの切片のような断片８１、８２．．．から成り、ハウジングを基礎に固定する役目を有するストラップ８５、８６、８７、８８．．．を備える。
【００３３】
図９は、外部構造の一部として、ハウジングの周囲に配置された、対称的に取り付けられた縦方向のファスナー９１、９２、９３．．．を備えたプラスチックハウジングを側面から示す。ファスナーは便利に直径面９０−９０から下へ配置され、外部構造を容易に開けられるようにする。
【００３４】
図１０は、外部構造の下部に、ハウジングの周囲に縦方向に取り付けられた外部構造に一体化された一部である、拡張室１０１、１０２、１０３．．を備えた外部構造を示す。
【００３５】
形のある固い多孔性のプラスチックハウジングは内部構造１１を説明する。それは、空気で満たされた気泡からほぼ成り（９８％）、材料浸透性に関する不利益なしに、要求される材料厚みを加えることによって構造上の機械的利益を提供する。外部構造は非常に薄いため、形のある固い多孔性のプラスチックはそれより相当厚くてよく、厚みによる幾何的利益を提供し、強い風の負荷に関して自立的構成に及ぼされる外力の衝撃に対応するための必要な機械的運動量を生じる。このように、厚みは、必要な機械的構成の硬さを、公知の「サンドイッチ」ドームが同様のコストで提供できるのと比較してより小さい信号ゲイン減衰と共に提供する。
【００３６】
一般的に、形のある固い多孔性のプラスチックは紫外線耐性ではない。それは、外部構造によって、ドーム浸透性への影響無しに防護されなければならない。外部構造は浸透性への影響が最小で非常に薄くなければならず、一方で、たとえば海上環境用途分野で、必要な紫外線耐性および機械的機能を与える。形のある固い多孔性のプラスチックハウジングおよび紫外線耐性布防風は一緒に、「サンドイッチ」構成の最も高価なドームに完全に匹敵する、非常に優れたおよび費用効果の高いドーム構成を作る。
【００３７】
形のある固い多孔性のプラスチックハウジングの総質量は極めて小さいため、ドームの外部構造は、荒天条件下でさえも機能を確実にするためにストラップによって基部据付台に固定されなければならない。
【００３８】
布は最適の適合を与えるためにＣＡＤ／ＣＡＭによって製造され、多孔性のプラスチックハウジングを上で覆い、外部構造になる。外部構造は、紫外線耐性であり、材料ストレスおよび外部の機械力に対する最大の防護を提供する能力を有する。同時に、布は浸透性についてのすべての要求を満たし、マイクロ波上側帯域周波数無線通信への影響が最小である。布は、基部据付台に、たとえば船の甲板に固定することを目的とする縦方向のストラップ境界面を備えている。外部構造布ハウジングの半球状の上部は、幾何的な下部と組み合わされたユニットを表す。布の下部は縦方向におよび対称的にファスナーを備えている。ファスナーは外部構造と一体化し、内部構造の、形のある固い多孔性のプラスチックハウジングの上に取り付けるのをより容易にする。さらに、先端はドーム内部に入るのを容易にする。形のある固い多孔性のプラスチックハウジング中の、戦略的に外部構造のファスナーの間に配置された適当なハッチ入口は、たとえば耐候防護された電子無線通信装置を維持しサービスを行うために、開いてドームの内部に入る。
【００３９】
加えて、紫外線耐性布への風の負荷の影響を低減して、拡張室のドローフレームが布に一体化されていて、多孔性のプラスチックハウジング上の最大に適合する覆いを固く張る。
【００４０】
ドローフレームは、拡張室内の圧力レベルに応じて、可塑性の幾何的円筒直径によって操作される。拡張室は外部構造１２の下部に一体化され、縦方向に取り付けられおよびドームの周りに離されて、最大の引っ張り作用を提供する。拡張室当たりの伸張は、圧力なしと最大許容圧力との間の円筒直径における差をいう。拡張室は、布外部構造に一体化された可塑性材料、たとえば可塑性のガス円筒、ゴムホースを含むポリエステルプラスチック織物から成る。平らな状態で、布外部構造に固定して設置され、それはたとえば空気で拡張室が加圧されると直ちに、自動的に布を引っ張るが、その理由は固定の円周を持つ円筒の直径は常にその円周の半分より小さいためであり、その比は[２＜π]をいう。
【００４１】
平たい状態の幅３０ｍｍのホースは、加圧された際には２０ｍｍ未満の幅しか持たない。それは約１０ｍｍ（＝３０〜２０ｍｍ）の引っ張りに触れる。拡張室は布を引っ張り、形のある固い多孔性のプラスチックパネルハウジング上に非常に密に適合した外部構造を生じる。
【００４２】
ドーム周囲に縦方向に取り付けられた拡張室は、乱流の風の流れを生じ、強い風の負荷の影響下でのドーム安定性を改善する。
【００４３】
一体化されたストラップは、基部据付台、たとえば船上の甲板に対して固定されたドーム位置を与える。ストラップのために、ドームは船上で遠い海洋上で予測される海上環境条件に合致する。
【００４４】
取り付けられたストラップは、ファスナーおよびたとえば「ベルクロテープ」との組み合わせで、正確なＣＡＤ／ＣＡＭ製の紫外線耐性布外部構造の容易な取り付けを結果として生じる。
【００４５】
形のある固い多孔性のプラスチックハウジングは、布外部構造を介して分散する、表面の高い圧力に抵抗できる間接作用に対する優れた硬さを提供する。摩擦は、布を固さの限界まで引き伸ばす拡張室と組み合わせて、二重曲線部の間に極めて良好な適合を与えるＣＡＤ／ＣＡＭ製造法のために、引っ張られた布と形のある固い多孔性のプラスチックハウジングとの間で極めて高い。
【００４６】
パネル構造の組み合わせは、取り付け後は自動ロック式であり、たとえば船の甲板で信頼できる基部結合を提供する機械的接合部から成る支持基部据付台は、たとえば風の負荷といった外力の影響下での伸張引っ張りに関して機械力を満たすよう製造された外側の紫外線耐性構造と共に、非常に機能的な耐候防護ハウジングを提供する。
【００４７】
ドームと共に、環境条件を検出するセンサーを備えた電子気象観測点回路カードを用いて、ドーム機能性を改善し、優れた断熱およびパネル縫い目防水のために利用可能な、ドーム内の電子機器上の水凝結および塩腐食を低減することが推奨される。電子気象観測点回路カードは、風力計、気圧計、湿度計および温度計、およびスイッチ入／切のための回路遮断器、内部クーラーおよび加温系を含む。回路カードには２つの気圧計部品が存在し、それぞれドーム内で外部の気圧を測定するものである。風力計と共に、ドームに対する動的表面圧力が計算される。ドーム内部の気圧が、次いで、ドーム外部構造表面上の風の負荷の影響に合致するよう、空気取り込みファンを運転することによって調整される。ドーム内部の気圧が、外部の計算されたデータを上回る際、回路遮断機が、ドームの内部から外部へ空気を出す電子制御された排気のスイッチを入れる。内部気圧調節および誘導は、雨または雪によるドームへの機械的影響を有する強い風の負荷下で追加の材料構造の強靱さを与える。
【００４８】
主に、ドーム内部の気圧を増すための方法は、ドームに浸入する、塩で飽和した海上の空気による塩腐食に対する防護の必要性に相当する。湿度計によって、ドーム内部の相対空気湿度は調節され、および約５０〜５５％になるよう設定されている。空気湿度は、動作中の電子気象観測点によって調節および誘導し、特にドーム内部に保護されている電子ＲＦ無線通信部品に注目して、塩腐食の起源を低減する。
【００４９】
この例では、説明されたプラスチックハウジングは、業務市場で入手可能な技術的に最も進んだドームに完全に匹敵するがこの場合には劇的に低い製造コストで、優れた耐候防護を提供する。プラスチックハウジングは、凍結および自動気圧調速機についての危険無しに、必要な機械的剛性、軽量、低い製造コスト、輸送支出の低減、マイクロ波周波数上側帯域での極めて低い信号減衰、簡易および迅速な現場での設置、予算原価への予備部品、ドーム内部での安定化された温度および相対空気湿度を有する。
【図面の簡単な説明】
【００５０】
本発明の実施形態が、図式的に本発明に基づく添付の図に関連して説明される。
【図１】図１はドームの原理図を示す。
【図２】図２は上からの角度で五角形断片の構造の側面からの部分を示す。
【図３】図３は図２と同一の構造を上から示す。
【図４】図４は図２〜３の通りの構造の一部である断片を示す。
【図５】図５はオレンジの一片に似た形状の断片から成る構造を示す。
【図６】図６は、図２〜３または図５の通りの、上のプラスチックドームを支える円筒基礎を示す。
【図７】図７は、図６の通りの、改変された機械的接合部基礎輪の一部を示す。
【図８】図８は、図５の通りの、外部構造を有する側面からのドームを示す。
【図９】図９は、３つのファスナーを備えた外部構造を有する側面からのドームを示す。
【図１０】図１０は、外部構造の一部として３つの拡張室を有する外部構造を示す。
【図１】
2006522248.tif 000003
【図２】
2006522248.tif 000004
【図３】
2006522248.tif 000005
【図４】
2006522248.tif 000006
【図５】
2006522248.tif 000007
【図６】
2006522248.tif 000008
【図７】
2006522248.tif 000009
【図８】
2006522248.tif 000010
【図９】
2006522248.tif 000011
【図１０】
2006522248.tif 000012
【国際調査報告】
2006522248.tif 000013
2006522248.tif 000014